(57)【特許請求の範囲】
【請求項１】
パチンコ遊技機の前面側に設けられる照明表示装置であって、
前記パチンコ遊技機(P)における前面上部の左右両側部に配置された一対の発光手段(24,24)と、
前記両発光手段(24,24)の間に、左右方向に長手方向を整列させた状態で配置され、透明な合成樹脂材料により左右方向の中央が前方へ向けて折曲がる略へ字状に成形されて、その裏面に光を反射可能な反射手段(38)が設けられると共に、その前面に複数の凸部(36,36')が左右方向に並ぶように形成され、前記発光手段(24,24)からの光を拡散する発光補助部材(26)と、
前記発光手段(24,24)および発光補助部材(26)を覆うカバー部材(28)とから構成され、
前記両発光手段(24,24)は、円筒状の発光部(24a)の周面を、前記発光補助部材(26)に指向する逆ハ字状となる姿勢で、該発光補助部材(26)より前方に位置するよう配置されている
ことを特徴とするパチンコ遊技機の照明表示装置。
【請求項２】
前記凸部(36)は平断面が三角形状を呈し、前記発光補助部材(26)における左右方向の中央を挟んで左側あるいは右側に形成される各凸部(36)は、中央を指向する傾斜面とは反対側の傾斜面(36a)が対応する側の発光手段(24)を指向すると共に、その傾斜角度が中央を指向する傾斜面より緩やかに設定されている請求項１記載のパチンコ遊技機の照明表示装置。
【請求項３】
前記カバー部材(28)は、発光手段(24,24)を覆う部分が、前記発光補助部材(26)を覆う部分より前方に膨出するよう成形されると共に、該カバー部材(28)の内面全体にはダイヤモンドカットが施されている請求項２記載のパチンコ遊技機の照明表示装置。
【請求項４】
前記パチンコ遊技機におけるガラス扉(D)の設置部(22)に成形された取付ボス(30,30)に対し、前記発光補助部材(26)の左右に穿設した通孔(43,43)を外挿して該補助部材(26)を位置決めしたもとで、発光手段(24)が配設される各基板(32)を対応する取付ボス(30)にビス(34)で固定することにより、発光補助部材(26)を設置部(22)に固定するよう構成した請求項１〜３の何れかに記載のパチンコ遊技機の照明表示装置。
【発明の詳細な説明】
【０００１】
【発明の属する技術分野】
この発明は、パチンコ遊技機の照明表示装置に関し、更に詳しくは、電飾的効果や遊技機に現出される特別ゲーム等を照明報知し得る照明表示装置に関するものである。
【０００２】
【従来の技術】
この種の遊技機に代表されるパチンコ機やアレンジボール機では、パチンコゲーム上での電飾的効果を図り、特別ゲーム等の成立を照明表示報知するための手段として、一般的にランプ部品又は照明ランプ具とも呼ばれている照明装置が多く利用され、主な対象設置部として、前枠の上縁部前側や、該前枠に取着されるガラス扉の上方周囲に装着されている。そしてこのような照明装置は、大別的に観た場合、プリント基板(回路用パターン線をプリント形成した基板)の所定位置に、フィラメント式ランプ(豆球)やＬＥＤランプ(発光ダイオード)等の表示ランプを配置接続したタイプのものが、対象の設置部に合わせて使用されている。このもとで特別ゲーム等の成立例として、図柄の変動組合わせによる大当り表示や入賞装置の開成作動に対応して、照明装置の表示ランプが、点灯と点滅、色変発光(赤と緑)を含む所定条件で照明表示するようになっている。
【０００３】
【発明が解決しようとする課題】
前記照明装置は、特別ゲーム等の成立に対する好適な電飾的効果を高めるために大型化の傾向にあり、広範囲に亘る照明が求められている。前記表示ランプの光を広範囲に照射させる手段として、該ランプを覆うランプカバーの内面にダイヤカットや球面状カットを施し、表示ランプからの光をランプカバーで広範囲に拡散させる構成が採用されている。しかし、ランプカバーによる拡散だけでは、その拡散効果は充分でなく、ランプカバーの全体に亘って電飾的効果の高い照明表示ができなかった。
【０００４】
そこで、従来は対象設置部に対するランプの配置数を増やすことで対応しているが、この場合には部品点数が増加すると共に、基板にランプを接続する作業が多くなって製造コストが嵩む問題がある。またランプと基板とはハンダ付けしているため、ランプの増加に伴ってハンダの使用量が多くなり、パチンコ機を廃棄したりリサイクルに際して、環境問題の点で不利となる難点が指摘される。
【０００５】
【発明の目的】
本発明は、前述した課題を好適に解決するべく提案されたものであって、発光手段を増やすことなく電飾的な表示効果を高めることができ、かつ組立工数を低減し得ると共に環境を考慮した設計となっているパチンコ遊技機の照明表示装置を提供することを目的とする。
【０００６】
【課題を解決するための手段】
前記課題を解決し、初期の目的を達成するため本発明に係るパチンコ遊技機の照明表示装置は、
パチンコ遊技機の前面側に設けられる照明表示装置であって、
前記パチンコ遊技機における前面上部の左右両側部に配置された一対の発光手段と、
前記両発光手段の間に、左右方向に長手方向を整列させた状態で配置され、透明な合成樹脂材料により左右方向の中央が前方へ向けて折曲がる略へ字状に成形されて、その裏面に光を反射可能な反射手段が設けられると共に、その前面に複数の凸部が左右方向に並ぶように形成され、前記発光手段からの光を拡散する発光補助部材と、
前記発光手段および発光補助部材を覆うカバー部材とから構成され、
前記両発光手段は、円筒状の発光部の周面を、前記発光補助部材に指向する逆ハ字状となる姿勢で、該発光補助部材より前方に位置するよう配置されていることを特徴とする。
【０００８】
【作用】
パチンコ遊技機における前面上部の左右両側部に配置した発光手段は、例えば特別ゲームが現出した場合に、点灯または点滅して照明表示する。この発光手段の光は、発光補助部材に形成された多数の凸部により広範囲に亘って拡散されて電飾的効果を高めることができ、特別ゲームを現出させた遊技者に対して、快感や満足感、更には優越感等を充分に与え得る。またホール管理者等に、特別ゲームの現出を確実に覚知させることができる。
【０００９】
【発明の実施の形態】
次に、本発明に係るパチンコ遊技機の照明表示装置について、好適な実施例を挙げて、添付図面を参照しながら、以下詳細に説明する。なお本実施例では、遊技機として一般的なパチンコ機を例にし、これにゲーム用の照明表示・報知手段として利用される場合を主に例示する。
【００１０】
そこで、先ず本実施例に係るパチンコ機について、図１を参照して要約説明する。このパチンコ機Ｐは、その基本的な構成として、縦長方形の外枠Ａの開口前面側に、各種の遊技用構成部材をセットする縦長方形の前枠Ｂが連結支持手段および施錠手段を利用して開閉および着脱可能に組付けられている。そしてこの前枠Ｂの前面側に、遊技盤Ｃの透視保護窓であるガラス扉Ｄと、上の球受け皿Ｅとが個々の連結支持手段等を利用して共に横開き形態で開閉可能に組付け整合される一方、前枠Ｂの下部に下の球受け皿Ｆおよび打球発射装置Ｇ等が装着セットされ、また前枠Ｂの裏側に各種の球径路および球処理・払出部等を備えた機構セット盤(図示せず)がセットされている。
【００１１】
前記前枠Ｂの正面内部に着脱可能にセットされる遊技盤Ｃは、図１に例示するように、略円形状に湾曲形成したレールにより囲まれた遊技領域の各部に、各種の電気的部品(フィラメントランプやＬＥＤランプ、スイッチやセンサー、ソレノイドやモータ等)を有する遊技部品例として、電飾具１０や回転案内具１２、入賞具１４、図柄表示装置１６および電動入賞装置１８等が夫々配設されている。そしてこれらの遊技部品の各種電気的部品が、ゲーム用の電子的な制御装置(図示せず)に夫々系統別に接続されて、ゲーム内容に合わせて入出制御(点灯,検出,駆動)されるようになっており、このもとで遊技領域で所定のパチンコゲームを展開して、特別ゲーム等の成立を現出し得るようになっている。
【００１２】
前記前枠Ｂに組付けられるガラス扉Ｄは、前枠Ｂの前面域に整合する方形サイズに合成樹脂成形されて、その中央部に略円形の窓口２０が開口されると共に、この窓口２０の裏側に透明な板ガラスが着脱自在にセットされて、窓口２０から遊技盤Ｃのゲーム領域を透視し得るよう構成される。またガラス扉Ｄの前面には、窓口２０の上部外周囲に、照明表示装置Ｌを設置可能にした設置部２２が成形されている。この設置部２２は、図１に示す如く、ガラス扉Ｄの前面中央を挟んで左右に位置する左設置部２２ａと右設置部２２ｂおよび左右の設置部２２ａ,２２ｂの間に位置する中央設置部２２ｃとから構成される。
【００１３】
前記ガラス扉Ｄの設置部２２に設置される照明表示装置Ｌは、左右の設置部２２ａ,２２ｂ(パチンコ機Ｐの前面上部の左右両側部)に配置された一対の発光手段としての表示ランプ２４,２４と、中央設置部２２ｃに配置された発光補助部材２６および表示ランプ２４,２４と発光補助部材２６を前側から覆うカバー部材としてのランプカバー２８とから基本的に構成される。このランプカバー２８は、図３に示す如く、左右両設置部２２ａ,２２ｂに対応する部分が前方に膨出するよう成形され、設置部２２に対してはフックと係合口(何れも図示せず)を介して着脱可能に取付けられる。また、ランプカバー２８の内面(裏面)の全体にはダイヤモンドカットが施されて、表示ランプ２４,２４や発光補助部材２６の光を効率的に拡散し得るようになっている。なお、ランプカバー２８は、前記表示ランプ２４や発光補助部材２６からの光を良好に拡散照明し得、装飾用部材をも兼用し得る有色樹脂材より成形したものが好適とされる。ちなみに、ランプカバー２８の取着手段としては、ビスも利用可能である。
【００１４】
前記左右の設置部２２ａ,２２ｂの夫々には、取付け部としての複数の取付ボス３０が、水平前方へ延出した状態で一体成形されており(図３参照)、これら取付ボス３０と基板３２に形成された小孔(図示せず)とを夫々整合させてビス３４をねじ込むことにより、該基板３２が対応する設置部２２ａ,２２ｂに位置決め固定される。各基板３２には、必要な回路用のパターン線がプリント形成され、このパターン線に前記表示ランプ２４がハンダ付け等の手段で接続固定されている。この表示ランプ２４は、フィラメント式のものであって、その円筒部２４ａの長手方向両端から延出する脚ピン２４ｂ,２４ｂが、前記パターン線に接続される。そして実施例では、表面ランプ２４における発光部としての円筒部２４ａの周面が、図２に示す如く、前記中央設置部２２ｃに配置されている発光補助部材２６を指向する姿勢で配置され、該補助部材２６に向けて光を効率的に照射し得るよう構成される。前記基板３２は前記制御装置に接続されて、特別ゲームの成立時に表示ランプ２４を点灯または点滅制御することで、遊技者に特別ゲームの現出を照明報知し得るようになっている。なお、表示ランプ２４としては、ＬＥＤ等のその他の発光手段が適宜に使用可能である。
【００１５】
実施例に係る発光補助部材２６は、図４〜図７に示す如く、透明な合成樹脂材料により全体として正面視において略弧状に成形されると共に、その板状本体４０の左右方向(長手方向,一対の表示ランプ２４,２４の離間方向)の両端部に形成した取付部４１,４１の裏面に、ボス４２,４２が夫々一体的に形成されている。そして、各取付部４１およびボス４２に共通的に穿設した通孔４３を、前記左右の設置部２２ａ,２２ｂにおける中央寄りに設けられた取付ボス３０に外挿することで、当該発光補助部材２６は、前記一対の表示ランプ２４,２４の略中間において、その長手方向を表示ランプ２４,２４の離間方向に略整列させた状態で位置決めされる。また発光補助部材２６の位置決め状態で、図３に示す如く、前記表示ランプ２４は発光補助部材２６より前方に位置し、該ランプ２４からの光が発光補助部材２６の全体に照射されるようになっている。
【００１６】
前記発光補助部材２６における両取付部４１,４１の間に臨む板状本体４０の前面には、前方に突出して上下方向(短手方向)に延在する複数の凸部３６が、左右方向(長手方向)に連続的に形成されている。この凸部３６は、図７に示す如く、平断面において左右方向(一対の表示ランプ２４,２４の離間方向)の中央を指向する面と板状本体４０の前面とが略直角となる直角三角形状を呈し、左右方向の中央を挟む左側の各凸部３６の傾斜面３６ａが左側の表示ランプ２４を指向すると共に、右側の各凸部３６の傾斜面３６ａが右側の表示ランプ２４を指向するよう設定される。なお、左右方向の中央に位置する凸部３６'のみは二等辺三角形状に形成されて、その両傾斜面３６'ａ,３６'ａを対応する表示ランプ２４,２４に指向させている(図６参照)。
【００１７】
前記板状本体４０は、図６に示す如く、その左右方向(一対の表示ランプ２４,２４の離間方向)の中央が前方に向けて折曲がる略ヘ字状に形成され、各凸部３６,３６'に表示ランプ２４,２４の光が好適に照射されるよう構成される。また、前記板状本体４０の裏面外周囲にスカート部４４が形成され、発光補助部材２６の強度を向上するようになっている。更に、板状本体４０の裏面の全体には、金または銀色の反射手段としてのメッキ層３８が所要厚みでメッキされ、透明な凸部３６に入射した光を、前側に向けて効率的に反射拡散させ得るよう構成してある。なお、反射手段としては、適宜の金属材料をコーティングしたコーティング層や、別途製作したアルミニウム等の金属板や鏡等を取付けて構成したものであってもよい。
【００１８】
【実施例の作用】
次に、本発明に係るパチンコ遊技機の照明表示装置の作用につき説明する。
【００１９】
前記ガラス扉Ｄにおける設置部２２の取付ボス３０,３０に対し、前記発光補助部材２６の左右に穿設した通孔４３,４３を外挿することで、該補助部材２６が位置決めされる。また表示ランプ２４が配設される各基板３２では、取付ボス３０に小孔を夫々整合させてビス３４をねじ込むことにより、該基板３２が設置部２２に固定される。このとき、図６および図７に示すように、設置部２２と基板３２とで発光補助部材２６の取付部４１が挟持されて、該補助部材２６も固定される。この状態にあっては、発光補助部材２６は、左右の表示ランプ２４,２４の間の最適な位置に位置決め固定され、各表示ランプ２４の光の良好な拡散が可能となる。また各表示ランプ２４は、基板３２に対して、その円筒部２４ａの周面が発光補助部材２６を指向する向きで配置される。
【００２０】
前記ランプカバー２８は、設置部２２に対してフックと係合口とを介して係着され、前記表示ランプ２４,２４および発光補助部材２６を前側から覆う。これにより、照明表示装置Ｌはガラス扉Ｄに固定化保持される。
【００２１】
前述のように、ガラス扉Ｄに照明表示装置Ｌを取着したパチンコ機Ｐにおいては、現行機と同様な遊技操作(球送り・発射作動操作)に基いて、上の球受け皿Ｅ内の遊技球を機内の発射部位に１球ずつ送込んで打球発射装置Ｇにより遊技盤Ｃ内に打出し、所要のパチンコゲームを展開し得る。そして遊技盤Ｃでのゲームを例にして大別的に観ると、▲１▼夫々の入賞具１４に対する遊技球の入賞ゲーム、▲２▼遊技球の入賞に基く図柄表示装置１６による表示ゲーム、▲３▼表示ゲームで得られた大当り成立ゲーム、▲４▼大当りゲームの成立を契機にして行なわれる電動入賞装置１８による開成作動ゲーム、等が現出される。そしてこのようなゲームに対応する照明表示態様例について、▲１▼,▲２▼では通常ゲームとして各種の遊技部品１０,１２のランプ類による短時間のランプ表示が行なわれ、一方▲３▼,▲４▼では特別ゲームとされてランプ表示とは別に本実施例の照明表示装置Ｌによる設定時間内の照明表示が行なわれる。
【００２２】
このような設定条件において、２個の表示ランプ２４,２４が通電発光されてランプカバー２８を介して照明する。このとき、各表示ランプ２４の光は、前記発光補助部材２６の各凸部３６に照射され、各凸部３６により前方に向けて効率的に拡散される。すなわち、各凸部３６の傾斜面３６ａに直に照射された光は、図８に示すように、凸部３６の表面(前面)で反射して前方に進行する一方で、板状本体４０の裏側のメッキ層３８に向けて屈折され、該メッキ層３８で反射して前方に進行する。なお、前記各凸部３６は透明な合成樹脂材料により成形されているので、光は、略へ字状に形成された板状本体４０の前面に連続的に形成されている各凸部３６を通過し、その出側の表面で屈折して前方あるいはメッキ層３８に向けて進行すると共に、別の凸部３６にも照射される。このように、表示ランプ２４から照射された光は、前記各凸部３６により複雑に反射や屈折を行なうことで、前方に向けて効率的に拡散されるようになっている。
【００２３】
また、実施例の発光補助部材２６の全体が略ヘ字状に形成されると共に、各凸部３６は対応する表示ランプ２４を指向する側を傾斜面３６ａとした直角三角形状に形成してあるから、両側に位置する各表示ランプ２４から全ての凸部３６に向けて効率的に光が照射されると共に、各凸部３６への光の入射量が多く、各凸部３６の表面で光を効率的に反射し得る一方で、板状本体４０の裏側のメッキ層３８に向けて効率的に屈折させ得る。そして、各凸部３６で屈折された光は、前記メッキ層３８により反射されて前方に向けて効率的に拡散されることにより、各凸部３６が恰も発光しているかのように見える。すなわち、両ランプ２４,２４の間に位置する発光補助部材２６においては、その全体に亘って恰も発光しているかのように見えるようになる。なお、前述したように各表示ランプ２４は、その円筒部２４ａの周面を発光補助部材２６に指向する姿勢で配置されているから、各表示ランプ２４の光を発光補助部材２６に効率的に照射することができ、これが発光補助部材２６による良好な照明表示に寄与する。
【００２４】
従って特別ゲームの現出中の設定時間内においては、２個の表示ランプ２４,２４によるランプ照明と、１個の発光補助部材２６による間接照明とにより、照明表示装置Ｌの全体が好適に照明され、同ゲームの現出状態を好適かつ鮮明に照明表示および報知し得ると共に電飾効果を高め得る。なお、表示ランプ２４の照明は、点灯または点滅の何れでもよい。
【００２５】
このように、ランプを増やすことなく照明表示装置Ｌの全体を照明することができるから、部品点数を低減して製造コストを低廉に抑えることが可能となる。またランプと基板との接続数が低減するから、ハンダの使用量を必要最少量に留め得、廃棄やリサイクルに際して多量のハンダが廃棄される事態を防止し、環境を考慮した設計となっている。
【００２６】
前述した実施例では、照明表示装置の具体的な実施形態例として、前記ガラス扉の設置部に装備するタイプにつき説明したが、該照明表示装置は、前枠の前面側の上部に形成された設置部に装備されるものであってもよい。また照明表示装置の設置部位は、実施例のような前面上部に限らず、その他の適宜の部位、例えば前面側部等に設置することもできる。更に、発光補助部材に形成される凸部の形状としては、三角形状が最も良好であるがこれに限定されるものでなく、半円、Ｕ字形あるいは台形等の適宜の形状を採用することも可能である。なお、発光補助部材に蛍光塗料を塗布してもよい。
【００２７】
【発明の効果】
以上説明した如く、本発明に係るパチンコ遊技機の照明表示装置によれば、発光手段を増やすことなく、照明表示装置の全体を発光しているかの如く見せることができ、例えば特別ゲーム等の成立状態を好適かつ鮮明に表示して、電飾的効果を高めることができる利点がある。また部品点数および組立工数を低減し得るから、製作コストを低く抑えることができると共に、メンテナンスも容易となる。更には、発光手段と基板とをハンダ付けにより接続するような場合では、ハンダの使用量を極力少なくすることができ、遊技機の廃棄やリサイクル等に伴う環境を考慮した装置を提供し得る利点がある。
【００２８】
また、透明な合成樹脂材料で発光補助部材を成形して、その裏面に反射手段を設けることで、発光手段から照射される光が各凸部で複雑に反射や屈折し、前方に向けて効率的に拡散される。更に、発光手段における発光部の周面を、発光補助部材に指向する姿勢で配置したことで、各発光手段の光を発光補助部材に効率的に照射することができ、更に良好な照明表示をなし得る。更にまた、発光補助部材を、その左右方向の中央が前方に向けて折曲がる略ヘ字状に形成したから、各凸部に発光手段の光が好適に照射される。しかも、発光手段を発光補助部材より前方に配置したので、該発光手段からの光は発光補助部材の全体に照射される。
【図面の簡単な説明】
【図１】本発明の好適な実施例に係る照明表示装置を装備したパチンコ機の正面図である。
【図２】実施例に係る照明表示装置を一部破断して示す要部正面図である。
【図３】実施例に係る照明表示装置を一部破断して示す要部平面図である。
【図４】実施例に係る照明表示装置の発光補助部材を示す斜視図である。
【図５】実施例に係る発光補助部材の正面図である。
【図６】実施例に係る照明表示装置における主要部を示す横断平面図である。
【図７】実施例に係る照明表示装置における主要部を示す拡大横断平面図である。
【図８】実施例に係る発光補助部材による光の反射状態を示す説明図である。
【符号の説明】
２２  設置部
２４  表示ランプ(発光手段)
２４ａ  円筒部(発光部)
２６  発光補助部材
２８  ランプカバー(カバー部材)
３０  取付ボス
３２  基板
３４  ビス
３６  凸部
３６ａ  傾斜面
３６'  凸部
３８  メッキ層(反射手段)
４３  通孔
Ｐ  パチンコ機(パチンコ遊技機)
Ｄ  ガラス扉
【図１】
0003796683.tif 000002
【図２】
0003796683.tif 000003
【図３】
0003796683.tif 000004
【図４】
0003796683.tif 000005
【図５】
0003796683.tif 000006
【図６】
0003796683.tif 000007
【図７】
0003796683.tif 000008
【図８】
0003796683.tif 000009